(57)【要約】    【課題】  高ズーム比、大口径比で、全ズーム領域にわたり高い光学性能を達成したズームレンズを得ること。    【解決手段】  物体側より像側へ順に、正の屈折力の第１レンズ群、負の屈折力の第２レンズ群、正の屈折力の第３レンズ群、負の屈折力の第４レンズ群、正の屈折力の第５レンズ群を有し、各レンズ群の間隔を変えて、ズーミングを行うズームレンズにおいて、広角端と望遠端における全系の焦点距離ｆＷ、ｆＴ、第２レンズ群と第３レンズ群の焦点距離ｆ２、ｆ３を各々適切に設定すること。【選択図】    図１
2010014866.tif 000002
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群を有し、各レンズ群の間隔を変えて、ズーミングを行うズームレンズにおいて、
広角端と望遠端における全系の焦点距離を各々ｆＷ、ｆＴ、
第２レンズ群と第３レンズ群の焦点距離を各々ｆ２、ｆ３とするとき、
【数１】
2010014866.tif 000007
なる条件を満足することを特徴とするズームレンズ。
【請求項２】
前記第２レンズ群と第３レンズ群の焦点距離ｆ２、ｆ３は
０．８５  ＜  ｜ｆ２｜／ｆＷ  ＜  １．２０
０．２９  ＜  ｜ｆ２｜／ｆＴ  ＜  ０．４０
０．４７  ＜    ｆ３  ／ｆＴ  ＜  ０．６０
なる条件を満足することを特徴とする請求項１のズームレンズ。
【請求項３】
前記第４レンズ群と第５レンズ群の焦点距離を各々ｆ４、ｆ５とするとき、
１．４  ＜    ｆ３  ／ｆＷ    ＜  １．７
１．８  ＜  ｜ｆ４｜／ｆＷ    ＜  ２．８
２．０  ＜    ｆ５  ／ｆＷ    ＜  ２．４
なる条件を満足することを特徴とする請求項１又は２のズームレンズ。
【請求項４】
前記第１レンズ群は物体側より像側へ順に、メニスカス形状の負レンズ、正レンズ、正レンズより成り、前記第２レンズ群は物体側より像側へ順にメニスカス形状の負レンズ、両凹形状の負レンズ、正レンズ、全体として負の屈折力のレンズユニットより成り、前記第３レンズ群は少なくとも１つの非球面形状のレンズ面と、少なくとも２枚の正レンズと１枚の負レンズを有し、前記第１レンズ群の焦点距離をｆ１とするとき
５．８  ＜    ｆ１  ／ｆＷ    ＜  ７．６
なる条件式を満足することを特徴とする請求項１、２又は３のズームレンズ。
【請求項５】
前記第４レンズ群は正レンズと負レンズとを接合した接合レンズを有し、前記第５レンズ群は少なくとも１つの非球面形状のレンズ面と、少なくとも２枚の正レンズと少なくとも１枚の負レンズを有することを特徴とする請求項１乃至４のいずれか１項のズームレンズ。
【請求項６】
広角端から望遠端へのズーミングに際して前記各レンズ群は、広角端に比べ望遠端での第１レンズ群と第２レンズ群の間隔が大きく、第２レンズ群と第３レンズ群の間隔が小さく、第３レンズ群と第４レンズ群の間隔が大きく、第４レンズ群と第５レンズ群の間隔が小さくなるように移動することを特徴とする請求項１乃至５のいずれか１項のズームレンズ。
【請求項７】
請求項１から６のいずれか１項のズームレンズと、該ズームレンズによって形成された像を受光する固体撮像素子を有していることを特徴とする撮像装置。
【発明の詳細な説明】
【技術分野】
【０００１】
本発明はズームレンズおよびそれを有する撮像装置に関し、特にスチルカメラ、ビデオカメラ、デジタルスチルカメラ、ＴＶカメラ、銀塩カメラ、そして監視用カメラ等に好適なものである。
【背景技術】
【０００２】
近年、固体撮像素子（ＣＣＤ、ＣＭＯＳ）を用いたビデオカメラ、デジタルスチルカメラ、放送用カメラ、監視カメラ、そして銀塩フィルムを用いたカメラ等の撮像装置は高機能化されている。
【０００３】
撮像装置として例えば、一眼レフカメラに用いる撮影光学系としては、高ズーム比（高変倍比）、大口径比でバックフォーカスが長く、しかも全ズーム範囲で高い光学性能を有するズームレンズであることが要求されている。
【０００４】
これらの要求に応えるズームレンズの１つとして、物体側に正の屈折力のレンズ群を配置したポジティブリード型のズームレンズが知られている。
【０００５】
ポジティブリード型のズームレンズとして、物体側より順に、正、負、正、負、正の屈折力の５つのレンズ群で構成され、比較的大口径比の５群ズームレンズが知られている（特許文献１〜５）。
【０００６】
特許文献１〜５のうち、例えば特許文献１では、Ｆナンバー２．８の大口径比の５群ズームレンズを開示している。又特許文献２ではＦナンバー４の５群ズームレンズを開示している。
【特許文献１】特開２００７−１０８３９８号公報
【特許文献２】特開２００６−２２７５２６号公報
【特許文献３】特開２００４−２４０３９８号公報
【特許文献４】特開平０５−２１５９６７号公報
【特許文献５】特開２００１−３３０７７７号公報
【発明の開示】
【発明が解決しようとする課題】
【０００７】
近年、デジタル一眼レフカメラ用のズームレンズには高ズーム比化と大口径比化、そして撮影される像が高画質であることが強く求められている。
【０００８】
一般にズームレンズにおいて、高ズーム比化を図るには、変倍レンズ群の屈折力を強める、または、ズーミングの際に変倍レンズ群の移動量を増大すれば良い。
【０００９】
又、大口径比化を図るには、各レンズ群のレンズ枚数を増加させて諸収差の補正を行えば良い。
【００１０】
しかしながら、変倍レンズ群の屈折力を強めて、移動量を増加させると高ズーム比化は容易になるが、ズーミングの際の収差変動が増大し、全ズーム範囲にわたり高い光学性能を得るのが困難になる。
【００１１】
又、大口径比化を図るために各レンズ群のレンズ枚数を増加させるとレンズ系全体が大型化及び高重量化してくるので良くない。
【００１２】
前述した５群ズームレンズにおいて、高ズーム比化及び大口径比化を図りつつ、全ズーム範囲にわたり、高い光学性能を得るには、ズームレンズを構成する各レンズ群の屈折力や各レンズ群のレンズ構成を適切に設定することが重要になってくる。
【００１３】
特に変倍作用の大きな負の屈折力の第２レンズ群、正の屈折力の第３レンズ群の屈折力等を適切に設定するのが重要になってくる。
本発明は、高ズーム比、大口径比で、全ズーム領域にわたり高い光学性能を達成したズームレンズの提供を目的とする。
【課題を解決するための手段】
【００１４】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群を有し、各レンズ群の間隔を変えて、ズーミングを行うズームレンズにおいて、
広角端と望遠端における全系の焦点距離を各々ｆＷ、ｆＴ、
第２レンズ群と第３レンズ群の焦点距離を各々ｆ２、ｆ３とするとき、
【００１５】
【数１】
2010014866.tif 000003
【００１６】
なる条件を満足することを特徴としている。
【発明の効果】
【００１７】
本発明によれば、高ズーム比、大口径比で、全ズーム領域にわたり高い光学性能を達成したズームレンズが得られる。
【発明を実施するための最良の形態】
【００１８】
以下に、本発明の好ましい実施の形態を、添付の図面に基づいて詳細に説明する。
【００１９】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群を有している。そして各レンズ群の間隔が変化するように各レンズ群を移動させて、ズーミングを行っている。
【００２０】
図１は本発明の実施例１のズームレンズの広角端（短焦点距離端）におけるレンズ断面図である。図２、図３はそれぞれ実施例１のズームレンズの広角端、望遠端（長焦点距離端）における収差図である。
【００２１】
図４は本発明の実施例２のズームレンズの広角端におけるレンズ断面図である。図５、図６はそれぞれ実施例２のズームレンズの広角端、望遠端における収差図である。
【００２２】
図７は本発明の実施例３のズームレンズの広角端におけるレンズ断面図である。図８、図９はそれぞれ実施例３のズームレンズの広角端、望遠端における収差図である。
【００２３】
図１０は本発明のズームレンズを備える一眼レフカメラ（撮像装置）の要部概略図である。
【００２４】
各実施例のズームレンズは、デジタルカメラ、ビデオカメラ、銀塩フィルム用カメラ等の撮像装置に用いられるものである。
【００２５】
図１、４，７に示したレンズ断面図において、左方が前方（物体側、拡大側）で、右方が後方（像側、縮小側）である。
【００２６】
ｉは物体側から数えたときのレンズ群の順序を示し、Ｌｉは第ｉレンズ群である。
【００２７】
各実施例のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より成っている。
【００２８】
ここで屈折力（光学的パワー）とは焦点距離の逆数のことである。
【００２９】
ＳＰは開口絞りであり、各実施例では、第３レンズ群Ｌ３中に配置されている。
【００３０】
ＳＳＰはフレアーカット絞りであり、各実施例では第３レンズ群Ｌ３の物体側に配置している。
【００３１】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に相当する感光面が置かれる。
【００３２】
矢印は広角端から望遠端へのズーミングに際しての各レンズ群の移動軌跡を示している。
収差図において、ｄ、ｇは各々ｄ線、ｇ線である。Ｓ・Ｃは正弦条件である。ΔＭ、ΔＳはｄ線のメリディオナル像面、サジタル像面である。ｆｎｏはＦナンバー、ωは半画角である。
【００３３】
各実施例では、第ｉレンズ群Ｌｉと第ｉ＋１レンズ群Ｌｉ＋１との間隔を変えてズーミングを行っている。
【００３４】
例えば広角端から望遠端へのズーミングに際して矢印のように、各レンズ群を移動させている。
【００３５】
具体的には、広角端から望遠端へのズーミングに際し、第１レンズ群Ｌ１は物体側へ移動している。第２レンズ群Ｌ２は像側へ移動している。第３レンズ群Ｌ３、第４レンズ群Ｌ４、第５レンズ群Ｌ５は各々のレンズ群に挟まれた空気間隔を変化させつつ物体側へ移動している。
【００３６】
各実施例において広角端と望遠端は変倍用レンズ群が機構上、光軸上移動可能な範囲の両端に位置したときのズーム位置をいう。
【００３７】
無限遠物体から近距離物体へのフォーカスは第２レンズ群Ｌ２を物体側へ移動させて行っている。
【００３８】
各実施例において、第１レンズ群Ｌ１の物体側又は／及び第５レンズ群Ｌ５の像側にズーミングに際して移動又は不動の屈折力のあるレンズ群を配置しても良い。
【００３９】
次に、各実施例の特徴について説明する。
【００４０】
各実施例は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より成っている。
【００４１】
ｉを物体側から像側へ数えたときのレンズ群の順序とする。広角端と望遠端における第ｉレンズ群と第ｉ＋１レンズ群の空気間隔をＤｉｗ、Ｄｉｔとする。このとき、
Ｄ１ｗ＜Ｄ１ｔ
Ｄ２ｗ＞Ｄ２ｔ
Ｄ３ｗ＜Ｄ３ｔ
Ｄ４ｗ＞Ｄ４ｔ
なる条件を満足するように各レンズ群が移動している。
【００４２】
このように、ズーミングに際して各レンズ群に変倍を分担することで、少ない移動量で所定のズーム比を得ることを容易にしている。そして、Ｆナンバー２程度の大口径でありながらレンズ系全体の小型化を容易にしている。
【００４３】
又、広角端と望遠端における全系の焦点距離を各々ｆＷ、ｆＴとする。
【００４４】
第２レンズ群と第３レンズ群の焦点距離を各々ｆ２、ｆ３とする。このとき、
【００４５】
【数２】
2010014866.tif 000004
【００４６】
なる条件を満足している。
【００４７】
条件式（１）は広角端の焦点距離と望遠端の焦点距離の積の平方根に対する第２レンズ群Ｌ２の焦点距離の絶対値の大きさを規定するものである。条件式（１）の下限値を超えて第２レンズ群Ｌ２の負の屈折力が強くなりすぎると第２レンズ群Ｌ２で発生する諸収差が大きくなりそれを他のレンズ群でバランス良く補正することが困難となる。条件式（１）の上限値を超えて第２レンズ群Ｌ２の負の屈折力が弱くなりすぎると諸収差の補正には有利であるが、レンズ系が大型化してくるので良くない。
【００４８】
条件式（２）は広角端の焦点距離と望遠端の焦点距離の積の平方根に対する第３レンズ群Ｌ３の焦点距離の大きさを規定するものである。条件式（２）の下限値を超えて第３レンズ群Ｌ３の正の屈折力が強くなりすぎると第３レンズ群Ｌ３で発生する諸収差が大きくなりそれを他のレンズ群でバランス良く補正することが困難となる。条件式（２）の上限値を超えて第３レンズ群Ｌ３の正の屈折力が弱くなりすぎると諸収差の補正には有利であるが、レンズ系が大型化してくるので良くない。
【００４９】
尚、更に好ましくは第２レンズ群Ｌ２と第３レンズ群Ｌ３の焦点距離ｆ２、ｆ３に関する条件式（１）、（２）の数値範囲を次の如く設定するのが良い。
【００５０】
【数３】
2010014866.tif 000005
【００５１】
各実施例によれば以上のように構成することによって、諸収差を全ズーム域にわたって良好に補正した高い光学性能を有するＦナンバー２程度と大口径比で標準域を含んだ高ズーム比のズームレンズを達成している。
【００５２】
各実施例において更に好ましくは次の諸条件のうちの１以上を満足するのが良い。それによれば、各条件式に対応した効果が得られる。
【００５３】
第１、第４、第５レンズ群の焦点距離を順にｆ１、ｆ４、ｆ５とする。
【００５４】
このとき下記の条件式のうち１以上を満足するのが良い。
【００５５】
０．８５  ＜  ｜ｆ２｜／ｆＷ    ＜  １．２０  ・・・（３）
０．２９  ＜  ｜ｆ２｜／ｆＴ    ＜  ０．４０  ・・・（４）
０．４７  ＜    ｆ３  ／ｆＴ    ＜  ０．６０  ・・・（５）
１．４  ＜      ｆ３  ／ｆＷ    ＜  １．７    ・・・（６）
１．８  ＜    ｜ｆ４｜／ｆＷ    ＜  ２．８    ・・・（７）
２．０  ＜      ｆ５  ／ｆＷ    ＜  ２．４    ・・・（８）
５．８  ＜      ｆ１  ／ｆＷ    ＜  ７．６    ・・・（９）
次に前述の各条件式の技術的な意味を説明する。
【００５６】
条件式（３）は広角端の焦点距離に対する第２レンズ群Ｌ２の焦点距離の絶対値の大きさを規定するものである。条件式（３）の下限値を超えて第２レンズ群Ｌ２の負の屈折力が強くなりすぎると所定のズーム比（変倍比）を得るための第２レンズ群Ｌ２の移動量が少なくなり小型化に有利となる。
【００５７】
しかしながら第２レンズ群Ｌ２で発生する諸収差が大きくなりそれを他のレンズ群でバランス良く補正することが困難となる。条件式（３）の上限値を超えて第２レンズ群Ｌ２の負の屈折力が弱くなりすぎると諸収差の補正に有利となる。しかしながら、所定のズーム比を得るための第２レンズ群Ｌ２の移動量が大きくなりレンズ系が大型化してくるので良くない。
【００５８】
条件式（４）は望遠端の焦点距離に対する第２レンズ群Ｌ２の焦点距離の絶対値の大きさを規定するものである。条件式（４）の下限値を超えて第２レンズ群Ｌ２の負の屈折力が強くなりすぎると第２レンズ群Ｌ２で発生する諸収差が大きくなりそれを他のレンズ群でバランス良く補正することが困難となる。条件式（４）の上限値を超えて第２レンズ群Ｌ２の負の屈折力が弱くなりすぎるとレンズ系が大型化してくるので良くない。
【００５９】
条件式（５）は望遠端の焦点距離に対する第３レンズ群Ｌ３の焦点距離の大きさを規定するものである。条件式（６）は広角端の焦点距離に対する第３レンズ群Ｌ３の焦点距離の大きさを規定するものである。条件式（５）、（６）の下限値を超えて第３レンズ群Ｌ３の正の屈折力が強くなりすぎると第３レンズ群Ｌ３で発生する諸収差が大きくなりそれを他のレンズ群でバランス良く補正することが困難となる。条件式（５）、（６）の上限値を超えて第３レンズ群Ｌ３の負の屈折力が弱くなりすぎるとレンズ系が大型化してくるので良くない。
【００６０】
各実施例のズームレンズは、撮像素子対角長の焦点距離、所謂標準域の焦点距離を含み、ズーム比３倍程度の５群ズームレンズである。条件式（７）、（８）はこのような焦点距離範囲をカバーし、かつＦナンバー２程度の大口径比の５群ズームレンズを達成するために好ましい第４レンズ群Ｌ４と第５レンズ群Ｌ５の焦点距離に関する。
【００６１】
条件式（７）は広角端の焦点距離に対する第４レンズ群Ｌ４の焦点距離の絶対値の大きさを規定するものである。条件式（７）の下限値を超えて第４レンズ群Ｌ４の負の屈折力が強くなりすぎると所定のズーム比を得るための第３レンズ群Ｌ３、第５レンズ群Ｌ５の移動量が少なくなりコンパクト化に有利となる。しかしながら第４レンズ群Ｌ４で発生する諸収差が大きくなりそれを他のレンズ群でバランス良く補正することが困難となる。
【００６２】
条件式（７）の上限値を超えて第４レンズ群Ｌ４の負の屈折力が弱くなりすぎると諸収差の補正には有利である。しかしながら、所定のズーム比を得るための第３レンズ群Ｌ３、第５レンズ群Ｌ５の移動量が大きくなりレンズ系が大型化してくるので良くない。
【００６３】
条件式（８）は広角端の焦点距離に対する第５レンズ群Ｌ５の焦点距離の大きさを規定するものである。条件式（８）の下限値を超えて第５レンズ群Ｌ５の正の屈折力が強くなりすぎると第５レンズ群Ｌ５で発生する諸収差、特に倍率色収差、像面湾曲等が大きくなってくる。条件式（８）の上限値を超えて第５レンズ群Ｌ５の正の屈折力が弱くなりすぎると所定の長さのバックフォーカスを得ることが困難となってくる。
【００６４】
また各実施例において、第１レンズ群Ｌ１を物体側より像側へ順に、メニスカス形状の負レンズ、正レンズ、正レンズで構成している。このとき第１レンズ群Ｌ１の焦点距離がｆ１が条件式（９）を満足するのが良い。
【００６５】
条件式（９）は広角端での全系の焦点距離に対する第１レンズ群Ｌ１の焦点距離を規定するものである。条件式（９）の下限値を超えて第１レンズ群Ｌ１の正の屈折力が強くなりすぎると所定のズーム比を得るための第１レンズ群Ｌ１の移動量が小さくなり全系の小型化に有利となる。しかしながら、第１レンズ群Ｌ１を前述のレンズ構成で諸収差を小さく抑えることが困難となる。条件式（９）の上限値を超えて第１レンズ群Ｌ１の正の屈折力が弱くなりすぎると所定のズーム比を得るための第１レンズ群Ｌ１の移動量が大きくなりレンズ全長が長くなり、又第１レンズ群Ｌ１のレンズ外径が増大してくる。
【００６６】
尚、更に好ましくは条件式（３）〜（９）の数値範囲を次の如く設定するのが良い。
【００６７】
０．８７  ＜  ｜ｆ２｜／ｆＷ    ＜  １．１０    ・・・（３ａ）
０．２９  ＜  ｜ｆ２｜／ｆＴ    ＜  ０．３６    ・・・（４ａ）
０．４８  ＜    ｆ３  ／ｆＴ    ＜  ０．５６    ・・・（５ａ）
１．４５  ＜    ｆ３  ／ｆＷ    ＜  １．６５    ・・・（６ａ）
１．９０  ＜  ｜ｆ４｜／ｆＷ    ＜  ２．６０    ・・・（７ａ）
２．１０  ＜    ｆ５  ／ｆＷ    ＜  ２．３０    ・・・（８ａ）
６．００  ＜    ｆ１  ／ｆＷ    ＜  ７．００    ・・・（９ａ）
また、各実施例では、第２レンズ群Ｌ２を物体側より像側へ順にメニスカス形状の負レンズ、両凹形状の負レンズ、正レンズ、全体として負の屈折力のレンズユニット（接合レンズ）で構成している。又、メニスカス形状の負レンズの物体側の面を非球面形状としている。これにより比較的強い負の屈折力を有する第２レンズ群Ｌ２で発生する諸収差を良好に補正している。また、非球面により、主に歪曲収差を良好に補正している。
【００６８】
第３レンズ群Ｌ３は少なくとも１つの非球面形状のレンズ面と少なくとも２枚の正レンズと１枚の負レンズを有している。
【００６９】
具体的には、第３レンズ群Ｌ３を非球面を有する正レンズ、正レンズと負レンズを接合した接合レンズで構成している。第３レンズ群Ｌ３をこのようなレンズ構成とすることで、Ｆナンバー２程度の大口径でありながら球面収差を良好に補正している。
【００７０】
第４レンズ群Ｌ４は正レンズと負レンズとを接合した接合レンズを有している。具体的には第４レンズ群Ｌ４を正レンズと負レンズとを接合した接合レンズ及び負レンズまたは負レンズと正レンズとを接合した接合レンズの２群３枚又は２群４枚で構成している。
【００７１】
第５レンズ群Ｌ５は少なくとも１つの非球面形状のレンズ面と、少なくとも２枚の正レンズと少なくとも１枚の負レンズを有している。
【００７２】
具体的には、第５レンズ群Ｌ５を非球面を有する負レンズと正レンズとを接合した接合レンズ及び像面側に凸形状の接合面を向けた正レンズと負レンズとを接合した接合レンズで構成している。これにより、特に像面湾曲、倍率色収差を良好に補正している。
【００７３】
尚、各実施例において、非球面形状はレンズ面上に樹脂等を塗布した複合型非球面を用いているが、レンズ面を研磨して非球面形状としても良い。
【００７４】
以下に本発明の数値実施例１〜３を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｉとνｉは第ｉ番目の光学部材のｄ線に対する屈折率とアッベ数である。ｆ、ｆｎｏ、２ωはそれぞれ無限遠物体に焦点を合わせたときの全系の焦点距離、Ｆナンバー、画角を表している。
【００７５】
非球面形状は光軸方向にＸ軸、光軸と垂直方向にＨ軸、光の進行方向を正、Ｒを近軸曲率半径、ｋを離心率、ｂ、ｃ、ｄ、ｅを各々非球面係数としたとき、
Ｘ＝（１／Ｒ）Ｈ２／（１＋（１−（１＋ｋ）（Ｈ／Ｒ）２）１／２）
＋ｂＨ４＋ｃＨ６＋ｄＨ８＋ｅＨ１０
なる式で表している。
【００７６】
また、例えば、「Ｅ−Ｚ」の表示は「１０−Ｚ」を意味する。
【００７７】
そして、前述の各条件式と数値実施例における諸数値との関係を表１に示す。
【００７８】
数値実施例1 
f= 17.5~ 53.1  FNo=1: 2.0  2ω=75.9°~28.9° 
r 1=   175.136        d 1=   1.90    n 1=1.84666  ν 1=23.9
r 2=    72.707        d 2=   9.28    n 2=1.60311  ν 2=60.6
r 3=  1659.827        d 3=   0.15                          
r 4=    62.816        d 4=   7.50    n 3=1.71300  ν 3=53.9
r 5=   224.724        d 5= 可変                            
r 6=   331.383(非球面)d 6=   0.05    n 4=1.51640  ν 4=52.2
r 7=    97.305        d 7=   1.20    n 5=1.80400  ν 5=46.6
r 8=    16.026        d 8=   7.38                          
r 9=   -44.671        d 9=   1.00    n 6=1.83481  ν 6=42.7
r10=    44.671        d10=   0.15                          
r11=    37.129        d11=   5.32    n 7=1.83400  ν 7=37.2
r12=   -38.449        d12=   1.23                          
r13=   -21.974        d13=   0.90    n 8=1.80400  ν 8=46.6
r14=    51.597        d14=   4.84    n 9=1.80518  ν 9=25.4
r15=   -58.592        d15= 可変                            
r16=     0.000        d16=   0.50                          
r17=  1326.585        d17=   3.50    n10=1.58913  ν10=61.1
r18=   -44.639        d18=   1.00                          
r19=     0.000(絞り)  d19=   1.25                          
r20=    37.634(非球面)d20=  10.25    n11=1.58313  ν11=59.4
r21=   -25.343        d21=   2.50    n12=1.84666  ν12=23.9
r22=   -40.897        d22= 可変                            
r23=   -55.729        d23=   3.15    n13=1.84666  ν13=23.9
r24=   -25.080        d24=   0.80    n14=1.69680  ν14=55.5
r25=    87.573        d25=   5.64                          
r26=   -35.177        d26=   1.20    n15=1.84666  ν15=23.9
r27=   -88.974        d27=   2.26    n16=1.58913  ν16=61.1
r28=   -42.776        d28= 可変                            
r29=   177.210(非球面)d29=   0.08    n17=1.51640  ν17=52.2
r30=   230.563        d30=   1.32    n18=1.83400  ν18=37.2
r31=    52.263        d31=   6.98    n19=1.49700  ν19=81.5
r32=   -32.659        d32=   0.15                          
r33=    53.763        d33=   8.90    n20=1.49700  ν20=81.5
r34=   -25.629        d34=   1.70    n21=1.74950  ν21=35.3
r35=   -56.583
焦点距離 17.50  32.51  53.05 
可変間隔                             
d  5           3.82  18.81  34.96 
d 15          20.08   6.46   0.75 
d 22           1.30   7.91  10.99 
d 28          10.40   3.79   0.71 
ックフォーカス 34.90  42.32  48.26 
非球面係数
第 6面     b             c             d             e  
2.002883e-05 -4.912051e-08  1.336013e-10 -9.191695e-14 
第20面     b             c            d              e   
-3.363478e-06 -1.015652e-08  4.412899e-11 -8.120484e-14
第29面     b            c             d             e   
-3.976386e-06  1.390626e-08 -5.283650e-11  1.089437e-13
【００７９】
数値実施例2 
f=17.5~52.4   FNo=1: 1.8   2ω=75.9°~29.2° 
f1=   190.160        d 1=   1.90    n 1=1.84666  ν 1=23.9
f2=    81.419        d 2=   8.75    n 2=1.60311  ν 2=60.6
f3=  5069.438        d 3=   0.15                          
f4=    66.608        d 4=   7.34    n 3=1.71300  ν 3=53.9
f5=   247.754        d 5= 可変                            
f6=   550.792(非球面)d 6=   0.05    n 4=1.51640  ν 4=52.2
f7=   110.050        d 7=   1.20    n 5=1.80400  ν 5=46.6
f8=    17.391        d 8=   7.58                          
f9=   -48.026        d 9=   1.00    n 6=1.83481  ν 6=42.7
f10=    48.106        d10=   0.15                          
f11=    39.618        d11=   5.56    n 7=1.83400  ν 7=37.2
f12=   -40.137        d12=   1.41                          
f13=   -22.337        d13=   0.90    n 8=1.80400  ν 8=46.6
f14=    61.307        d14=   5.12    n 9=1.80518  ν 9=25.4
f15=   -57.073        d15= 可変                            
f16=     0.000        d16=   0.50                          
f17= 10723.702        d17=   3.50    n10=1.72916  ν10=54.7
f18=   -50.060        d18=   1.00                          
f19=     0.000(絞り)  d19=   0.72                          
f20=    41.409(非球面)d20=  10.56    n11=1.67000  ν11=57.3
f21=   -25.953        d21=   2.50    n12=1.84666  ν12=23.9
f22=   -47.996        d22= 可変                            
f23=   -52.529        d23=   3.77    n13=1.84666  ν13=23.9
f24=   -22.526        d24=   0.80    n14=1.69680  ν14=55.5
f25=    64.388        d25=   4.64                          
f26=   -32.416        d26=   1.20    n15=1.84666  ν15=23.9
f27=   -91.548        d27=   2.47    n16=1.58913  ν16=61.1
f28=   -39.357        d28= 可変                            
f29=   178.397(非球面)d29=   0.08    n17=1.51640  ν17=52.2
f30=   299.809        d30=   1.32    n18=1.83400  ν18=37.2
f31=    38.112        d31=   7.24    n19=1.49700  ν19=81.5
f32=   -34.289        d32=   0.15                          
f33=    64.027        d33=   8.74    n20=1.49700  ν20=81.5
f34=   -25.178        d34=   1.70    n21=1.74950  ν21=35.3
f35=   -38.795                                 
焦点距離 17.50  35.13  52.36 
可変間隔                             
5             3.88  20.64  34.97 
15            22.52   5.40   0.62 
22             1.31   7.57   9.56 
28             8.82   2.56   0.57 
バックフォーカス 34.15  41.53  45.06 
非球面係数
第 6面     b             c             d             e    
1.768530e-05 -4.243879e-08  1.095593e-10 -5.889812e-14 
第20面     b             c            d             e  
-2.455696e-06 -8.880903e-09  3.126544e-11 -4.934542e-14 
第29面     b             c             d            e     
-6.147791e-06  1.695386e-08 -5.202439e-11  9.176141e-14
【００８０】
数値実施例3 
f=17.5~53.2  FNo=1: 2.0  2ω=75.9°~28.8° 
r 1=   260.554        d 1=   1.90    n 1=1.84666  ν 1=23.9
r 2=    88.246        d 2=   9.09    n 2=1.60311  ν 2=60.6
r 3=  -613.875        d 3=   0.15                          
r 4=    68.079        d 4=   6.76    n 3=1.71300  ν 3=53.9
r 5=   221.932        d 5= 可変                            
r 6=   205.679(非球面)d 6=   0.05    n 4=1.51640  ν 4=52.2
r 7=    91.529        d 7=   1.20    n 5=1.80400  ν 5=46.6
r 8=    16.888        d 8=   7.57                          
r 9=   -44.189        d 9=   1.00    n 6=1.83481  ν 6=42.7
r10=    52.123        d10=   0.15                          
r11=    40.165        d11=   5.40    n 7=1.83400  ν 7=37.2
r12=   -39.424        d12=   1.19                          
r13=   -23.597        d13=   0.90    n 8=1.80400  ν 8=46.6
r14=    47.819        d14=   4.98    n 9=1.80518  ν 9=25.4
r15=   -73.294        d15= 可変                            
r16=     0.000        d16=   0.50                          
r17=   923.728        d17=   3.50    n10=1.69680  ν10=55.5
r18=   -52.254        d18=   1.00                          
r19=     0.000(絞り)  d19=   1.50                          
r20=    39.050(非球面)d20=   9.51    n11=1.64250  ν11=58.4
r21=   -32.295        d21=   2.50    n12=1.84666  ν12=23.9
r22=   -57.114        d22= 可変                            
r23=   -61.321        d23=   3.07    n13=1.85026  ν13=32.3
r24=   -26.819        d24=   0.80    n14=1.69350  ν14=50.8
r25=    58.010        d25=   4.54                          
r26=   -34.752        d26=   1.50    n15=1.67790  ν15=55.3
r27=   -46.039        d27= 可変                            
r28=   262.249(非球面)d28=   1.40    n17=1.83400  ν17=37.2
r29=    34.067        d29=   7.64    n18=1.49700  ν18=81.5
r30=   -34.077        d30=   0.15                          
r31=    43.644        d31=  10.40    n19=1.49700  ν19=81.5
r32=   -23.572        d32=   1.70    n20=1.74950  ν20=35.3
r33=   -42.360                               
焦点距離    17.50  33.37  53.23 
可変間隔                             
d  5             3.98  19.92  36.51 
d 15            20.72   6.16   0.83 
d 22             1.67   9.25  12.74 
d 27            11.86   4.27   0.79 
バックフォーカス 34.91  42.42  47.76 
非球面係数
第 6面      b            c             d             e       
1.483514e-05 -2.308293e-08  3.015758e-11  5.248698e-14 
第20面     b             c            d             e      
-2.793026e-06 -1.127800e-08  4.180611e-11 -6.945377e-14 
第28面     b            c             d             e       
-1.397353e-06  1.589995e-08 -5.178367e-11  1.100395e-13
【００８１】
【表１】
2010014866.tif 000006
【００８２】
次に実施例１〜３に示したズームレンズを撮像装置に適用した実施例を図１０を用いて説明する。
【００８３】
図１０は一眼レフカメラの要部概略図である。図１０において、１０は実施例１〜３のズームレンズ１を有する撮影レンズである。ズームレンズ１は保持部材である鏡筒２に保持されている。２０はカメラ本体である。３は撮影レンズ１０からの光束を上方に反射するクイックリターンミラーである。４は撮影レンズ１０の像形成位置に配置された焦点板である。５は焦点板４に形成された逆像を正立像に変換するペンタダハプリズムである。６はその正立像を観察するための接眼レンズである。７は感光面であり、ＣＣＤセンサやＣＭＯＳセンサ等の像を受光する固体撮像素子（光電変換素子）や銀塩フィルムが配置される。撮影時にはクイックリターンミラー３が光路から退避して、感光面７上に撮影レンズ１０によって像が形成される。
【００８４】
実施例１〜３にて説明した利益は、本実施例に開示したような撮像装置において効果的に享受される。
【図面の簡単な説明】
【００８５】
【図１】実施例１のズームレンズのレンズ断面図
【図２】実施例１のズームレンズの広角端における諸収差図
【図３】実施例１のズームレンズの望遠端における諸収差図
【図４】実施例２のズームレンズのレンズ断面図
【図５】実施例２のズームレンズの広角端における諸収差図
【図６】実施例２のズームレンズの望遠端における諸収差図
【図７】実施例３のズームレンズのレンズ断面図
【図８】実施例３のズームレンズの広角端における諸収差図
【図９】実施例３のズームレンズの望遠端における諸収差図
【図１０】本発明の撮像装置の要部概略図
【符号の説明】
【００８６】
Ｌ１    第１レンズ群
Ｌ２    第２レンズ群
Ｌ３    第３レンズ群
Ｌ４    第４レンズ群
Ｌ５    第５レンズ群
ＳＳＰ  フレアーカット絞り
ＳＰ    絞り
ＩＰ    像面
ｄ      ｄ線
ｇ      ｇ線
Ｃ      Ｃ線
Ｆ      Ｆ線
Ｓ・Ｃ  正弦条件
ΔｄＭ  ｄ線のメリディオナル像面
ΔｄＳ  ｄ線のサジタル像面
【図１】
2010014866.tif 000008
【図２】
2010014866.tif 000009
【図３】
2010014866.tif 000010
【図４】
2010014866.tif 000011
【図５】
2010014866.tif 000012
【図６】
2010014866.tif 000013
【図７】
2010014866.tif 000014
【図８】
2010014866.tif 000015
【図９】
2010014866.tif 000016
【図１０】
2010014866.tif 000017